(57)【要約】【課題】開封があったことを容易に認識することが可能で、開封の履歴を容易に判断することができる封緘部材を提供する。【解決手段】先端に係合部４ｂを持つ棒状体４と、この棒状体４の他端に接続された頭部５と、この頭部５に接続された表示部７とからなるピン体２の連結体であって、頭部５あるいは表示部７の間を連結部３で連結しており、棒状体４あるいは頭部５若しくは棒状体４と頭部５との接合する部分に弱点部Ｗを形成した箱体などの封緘部材。【選択図】　　　図８
2004051228.tif 000002
【特許請求の範囲】
【請求項１】
先端に係合部を持つ棒状部、および、前記棒状部の他端に接続された頭部を、備える複数のピン体と、
隣接する前記ピン体を互いに連結する連結体と、を有することを特徴とする封緘部材。
【請求項２】
請求項１において、
当該封緘部材による封緘が破られると破壊されるように形成された弱点部をさらに有することを特徴とする封緘部材。
【請求項３】
請求項２において、
前記弱点部は、前記頭部、前記棒状部、前記連結体、および、前記頭部と前記棒状部との接合部の少なくともいずれかに形成されていることを特徴とする封緘部材。
【請求項４】
請求項２において、
前記ピン体は、前記頭部に接続された表示部をさらに備えることを特徴とする封緘部材。
【請求項５】
請求項４において、
前記ピン体は、前記表示部を前記頭部に接続する接続部をさらに備えることを特徴とする封緘部材。
【請求項６】
請求項５において、
前記連結体は、互いに隣接する前記ピン体において、前記頭部同士、前記表示部同士、または、前記接続部同士を連結するように形成されていることを特徴とする封緘部材。
【請求項７】
請求項５または請求項６において、
前記弱点部は、前記頭部、前記棒状部、前記連結体、前記頭部と前記棒状部との接合部、前記接続部、前記接続部と前記頭部との接合部、および、前記接続部と前記表示部との接合部の少なくともいずれかに形成されていることを特徴とする封緘部材。
【請求項８】
請求項１ないし請求項７のいずれかにおいて、
前記棒状部は、その周囲に規則的に配列された凹部を備えることを特徴とする封緘部材。
【請求項９】
請求項１ないし請求項７のいずれかにおいて、
前記棒状部は、その周囲に突出し弾性を持つリブ部を備えることを特徴とする封緘部材。
【請求項１０】
請求項１ないし請求項９のいずれかにおいて、
前記連結体は、曲線状に形成されていることを特徴とする封緘部材。
【請求項１１】
請求項２ないし請求項１０のいずれかにおいて、
前記頭部は、リング体と、このリング体の中央方向に伸びる複数本の腕部と、これらの腕部の集合部に設けたセンター部とを備え、
前記センター部に前記棒状体の一端が連結され、
前記腕部が前記弱点部として形成されている、ことを特徴とする封緘部材。
【請求項１２】
請求項２ないし請求項１０のいずれかにおいて、
前記頭部は、リング体と、このリング体の中央方向に伸びる複数本の腕部と、これらの腕部の集合部に設けたセンター部とを備え、
前記センター部に前記棒状体の一端が連結され、
前記センター部は、その中ほどに凹部を備え、
前記腕部が前記弱点部として形成されている、ことを特徴とする封緘部材。
【発明の詳細な説明】
【０００１】
【発明の属する技術分野】
本発明は、例えばパチンコ機などの遊技装置の心臓部ともいうべき電子回路の基板が収納されている主基板樹脂ケースなどを封緘するために用いられる封緘部材に関する。
【０００２】
【背景技術および発明が解決しようとする課題】
パチンコ機などの遊技装置、特に回胴式遊技装置は電子回路を内蔵した電動式の高度な電子装置であり、この電子回路の主基板は主基板樹脂ケース内に収容され、そして箱体（外ケース）と主基板樹脂ケースとの間を、一旦締結したならば逆回転ができないような特殊ネジを封緘部材として使用した封緘機構（セーフティーロック機構）で封緘している。
【０００３】
したがって、主基板に搭載されている電子回路を変更して出玉率を調節するような不正工作するためには、その特殊ネジ部分を破壊して開封しなければならならず、この破壊操作により外観的に開封の有無を確認することができる。
【０００４】
これらのネジは例えば、装置設置時の封緘用である主基板ケース封緘用、本体固定用があり、さらに立入り検査１回目用、同第２回目用、同第３回目用、そして基板回収用などの複数本のネジを使用して構成されている。また、主基板ケースには封緘部材の使用状態の記録用紙が貼付されており、これに開封年月日や担当者名と押印部分などがある。
【０００５】
営業所においては、セキュリティー維持のため封緘部材が正しい状態で封印されていることを毎日の点検対象にし、封緘部材の使用記録用紙に記載されている封印数と一致していることを確認している。この封緘部材の開封と封印作業は各県の公安委員および遊技装置の製造業者しか行うことが出来ない仕組みになっており、厳重に封印状態が管理されている。
しかし、特殊なネジを封緘部材として使用した機器の封緘は、これに使用する特殊ネジの製造コストが高く、また、多数の特殊なネジを使用するので、その数量等の管理も煩雑である。また、その取付けも限定された作業者のみが行う必要があるなど、管理上からも問題がある。
【０００６】
万一、そのような特殊なネジが外されて何かをされたとしても、ネジは市販されているものが多く、その種類は豊富で類似したものが多いことから、これが改ざんされても外観上分かり難い。したがって、このようなネジを封緘部材として使用した封緘の機能は完璧性を欠くものである。
【０００７】
本発明は、上記のような点に鑑みてなされたものであって、その目的は、開封があったことを容易に認識することが可能で、開封の履歴を容易に判断することができる封緘部材を提供することにある。
【０００８】
【課題を解決するための手段】
（１）　本発明にかかる封緘部材は、　先端に係合部を持つ棒状部、および、前記棒状部の他端に接続された頭部を、備える複数のピン体と、隣接する前記ピン体を互いに連結する連結体と、を有することを特徴としている。
本発明の封緘部材によれば、隣接するピン体同士が互いに連結体で連結されているため、改竄などの目的でピン体の一つを移動させようとすると連結体による連結が壊れてしまう。したがって、連結体が破壊されていることを確認することによって、開封があったことを認識することが可能となる。また、連結されているピン体を順次封緘に用いることによって、開封の履歴を容易に判断することができる。
【０００９】
（２）　また、本発明にかかる封緘部材は、当該封緘部材による封緘が破られると破壊されるように形成された弱点部をさらに有していてもよい。このような構成によると、弱点部の破壊を確認することによって、開封があったことを認識することが可能となる。
【００１０】
（３）　なお、前記弱点部は、前記頭部、前記棒状部、前記連結体、および、前記頭部と前記棒状部との接合部の少なくともいずれかに形成されていてもよい。
【００１１】
（４）　そして、前記ピン体は、前記頭部に接続された表示部をさらに備えていてもよい。表示部を備えることによって、封緘箇所、封緘履歴などに対応する表示を行うことができる。
【００１２】
（５）　なお、（４）のピン体は、前記表示部を前記頭部に接続する接続部をさらに備えていてもよい。
【００１３】
（６）　また、前記連結体は、互いに隣接する前記ピン体において、前記頭部同士、前記表示部同士、または、前記接続部同士を連結するように形成されていてもよい。
【００１４】
（７）　そして、前記弱点部は、前記頭部、前記棒状部、前記連結体、前記頭部と前記棒状部との接合部、前記接続部、前記接続部と前記頭部との接合部、および、前記接続部と前記表示部との接合部の少なくともいずれかに形成されていてもよい。
【００１５】
（８）　なお、前記棒状部は、その周囲に規則的に配列された凹部を備えていてもよい。このように周囲に規則的に配列された棒状部を持つピン体とすることによって、封緘あるいはその準備のために棒状部を対応する部分に挿入する際に、挿入するにしたがって摩擦の大きさが段階的に変化するため、凹部を棒状部の長さ方向の適切な位置に設けておけば、適切な所定の深さ位置まで棒状部を挿入することが容易となる。また、棒状部を挿入する挿入部に凹部と軽く係合する部分、例えば変形可能な板状の突出部を設けておけば、ピン体を適切な深さ位置で仮固定することが容易となる。
【００１６】
（９）　あるいは、前記棒状部は、その周囲に突出し弾性を持つリブ部を備えていてもよい。このように、ピン体の棒状部が弾性を持つリブ部を備えることによって、棒状部のリブ部が被封緘部材の挿入される部分に密着した状態に容易に保つことができる。これによって、ピン体を被封緘部材内に容易に仮止めすることができる。また、ピン体によって封緘した状態においても、棒状部の弾性を持つリブ部が被封緘部材内に密着する状態に保てるため、ピン体が緩んでしまう可能性が低い。
【００１７】
（１０）　また、前記連結体は、曲線状に形成されていてもよい。これにより、連結体の曲線状の形状が変形することによって、隣接するピン体同士の間の距離変化をある程度許容することができ、個々のピン体の封緘やその開封の際などにおける移動が隣接するピン体に影響を与えることを防止できる。
【００１８】
（１１）　さらに、前記頭部は、リング体と、このリング体の中央方向に伸びる複数本の腕部と、これらの腕部の集合部に設けたセンター部とを備え、前記センター部に前記棒状体の一端が連結され、前記腕部が前記弱点部として形成されていてもよい。これによって、センター部に十分な力を及ぼすことによって弱点部として形成された腕部を破壊し、棒状体をリング体から切り離すことによって、このピン体による封緘を容易に解くことができる。
【００１９】
（１２）　あるいは、前記頭部は、リング体と、このリング体の中央方向に伸びる複数本の腕部と、これらの腕部の集合部に設けたセンター部とを備え、前記センター部に前記棒状体の一端が連結され、前記センター部は、その中ほどに凹部を備え、前記腕部が前記弱点部として形成されていてもよい。これによって、センター部の凹部にドライバの先などの棒状部材の先端部を外れないようにセンター部の凹部に当接させることが容易に行える。さらに、そのような棒状部材を介してセンター部に十分な力を及ぼすことによって弱点部として形成された腕部を破壊し、棒状体をリング体から切り離すことによって、このピン体による封緘を容易に解くことができる。
【００２０】
【発明の実施の形態】
以下、本発明の好適な実施の形態について、図面を参照しながら、さらに具体的に説明する。
【００２１】
１．　＜第１実施形態＞
図１は一連のピン体を備える封緘部材の平面図、図２はその正面図、そして図３はその側面図である。
【００２２】
封緘部材１の主要部分は、ナイロンやポリプロピレン等の合成樹脂を使用して一体成形したもので、第１ピン体２ａ、第２ピン体２ｂ、第３ピン体２ｃ・・第ｎピン体２ｎで構成され、各ピン体２の間は帯状の第１連結体３ａ、第２連結体３ｂ、第３連結体３ｃ・・第ｍ連結体３ｍから成る連結体３で一体的に連結されている。
【００２３】
そして前記ピン体２は、頭部５の下方に係止部４（封緘部）が延在し、頭部５の側方の延長方向に薄板状の接続部６を介して表示部７が形成され、さらに隣接する表示部７同士は連結体３で直線的に連結されている。
【００２４】
表示部７には、封緘する場所（主基板ケース封印用、本体固定用）や検査の順序（立入り検査第第１回、第２回、第３回など）、さらにメーカ名などの記号等が記載ないし成型時に成形される。
【００２５】
また、表示部７の間を連結する連結体３は、図２に示すように正面視でＵ形に形成されて二つのピン体２ないし係止部４の間の距離を変更できる融通性を持たせており、一方のピン体２のロックを破壊するために係止部４を固定部材の孔の中に押し込んだ時に、隣の係止部４が引きずられないように配慮したものである。
【００２６】
係止部４は、箱体と蓋体、あるいは箱体と底板などの複数の封緘を必要とする部材の間を封止する一種のストッパー部材で、棒状部４ａの先端に２本の爪体４ｂがその端部を棒状部４ａより離反させるように矢尻状に形成され、基端側に帽子状の頭部５が一体的に形成されている。
【００２７】
また、図４、図７、および図１１に示すように棒状部４ａの周囲には凹部４ｃが所定間隔で配列されている。これによって、美観を与えると共に手触りと操作性を良好にしている。さらに、このように周囲に規則的に配列された棒状部４ａを持つピン体２とすることによって、封緘あるいはその準備のために棒状部４ａを対応する部分に挿入する際に、挿入するにしたがって摩擦の大きさが段階的に変化するため、凹部４ｃを棒状部４ａの長さ方向の適切な位置に設けておけば、適切な所定の深さ位置まで棒状部４ａを挿入することが容易となる。また、図１１に示すように、棒状部４ａを挿入する挿入部に凹部４ｃと軽く係合する部分、例えば変形可能な板状の突出部１１ｔを設けておけば、突出部１１ｔの先端を凹部４ｃに係合させることにより、ピン体２を適切な深さ位置で仮固定することが容易となる。
【００２８】
棒状部４ａの一端に形成された頭部５は、図４および図６に示すように全体がハンドル形でリング体５ａの内部に破壊用の細い腕部５ｂ（弱点部Ｗ）を十字形に形成し、これらの腕部５ｂの集合部分にセンター部５ｃが形成されている。
【００２９】
さらに，この実施の形態においては、このセンター部５ｃの上面にドライバＤなどの先端を受けるための円錐状の凹部５ｄが形成されているが、この円錐部は必要に応じて設けられるものであり、このセンター部５ｃは例えば小さな円板状あるいは星型など他の形状のものに変形してもよい。要するに、頭部５と係止部４との間が開封時の破壊操作によって分離できるように「弱点部Ｗ」をもつように構成されておれば良いのである。
【００３０】
次に、本実施形態に係る封緘部材の使用方法について説明する。
【００３１】
本実施形態にかかる封緘部材１を使用して二つ以上の部材（例えば箱体と蓋体など）を閉止し、これを封緘する際は、図８の斜視図に示すように、上下に分離可能な箱体１０（被封緘部材）の縁部に固定体１１を設けておき、実施例においてはこの固定体１１は上下一対の固定環１１ｍ、１１ｎを備えて構成されている。
【００３２】
そして前記封緘部材１のピン体２の係止部４を、この固定体１１の構成部分である固定環１１ｍ、１１ｎの中央に設けた貫通孔に押し込み（図１０）、底板あるいは固定板１２に形成された固定部１２ａに開口された封緘孔１２ｂ（図８）に挿入して係止させるものである。
【００３３】
図９および図１１に示すように箱体１０の端部に形成された保護枠１０ｃで囲まれている中に上箱１０ａと下箱１０ｂの端面から延長されている帯部１３ａ、１３ｂを介して６個の固定体１１ａ、１１ｂ・・１１ｆが図１０、１１に示すように設けられている。そしてこの固定体１１の内、上側の固定環１１ｍに図８に示すように切欠き部１１ｇが形成されており、この切欠き部１１ｇより封緘部材１のピン体２の接続部６を通過させるようになっている。
【００３４】
ここで、ピン体２の未ロック状態とロック状態の一例を説明する。ピン体２は、図１０においてピン体２ｃを例として示す未ロック状態Ｕから、図１０においてピン体２ｂを例として示すロック状態Ｌにできるように構成されている。すなわち、ピン体２は、未ロック状態Ｕにおいて図１１に示すようにドライバＤなどで頭部５を押して、固定板１２の封緘孔１２ｂにピン体２ｂの先端の爪体４ｂ（係合部）を貫通させ、爪体４ｂの弾性によって爪体４ｂの端部が棒状部４ａから離れた状態になって封緘孔１２ｂ周囲の固定部１２ａに爪体４ｂが係止することによって、図１０においてピン体２ｂを例として示したロック状態Ｌになる。
【００３５】
次に、ピン体の未ロック状態とロック状態の他の例を説明する。この例では、固定体１１が、固定環１１ｍ，１１ｎに加えて、その下部に爪体４ｂを係止させるための構造を備えている。すなわち、この例では、図１０においてピン体２ａとして示すように、未ロック状態Ｕから、図１１に示すようにドライバＤなどで頭部５を押して、図１０の固定体１１の下部に形成されている拡開部１１ｅの天井面にピン体２ａの係止部４の先端の爪体４ｂ（係合部）が破線で示すように係止されるロック状態Ｌになるように構成されている。したがって、この例では係止部４は箱体１０の固定板１２には係止されず、箱体１０の固定体１１に係止される。
【００３６】
この爪体４ｂの前方は底板１２の固定部１２ａで閉止されており、前記爪体４ｂを操作できない状態になっている。
【００３７】
この固定部１２ａにはピン体２Ｂ、２Ｃの位置に封緘孔１２ｂが設けられており、この封緘孔１２ｂを通過した爪体４ｂはこの封緘孔１２ｂの周縁の固定部１２ａに係止されるようになっている。
【００３８】
前記のような封緘状態（ロック状態Ｌ）のピン体２Ａの封緘を解除するときには図１１および図８に示すように頭部５の中央のセンター部５ｃをドライバＤで押し下げると、上側の固定体１１　の凹部の底面で頭部５が支持された状態で腕部５ｂ（弱点部Ｗ）が折られて頭部５と係止部４とが分離して封緘状態が解除される。
【００３９】
未ロック状態Ｕとロック状態Ｌとの２つの形態の間には隣り合う２本のピン体２の頭部５の間に図８に示すように段差「ｄ」が形成されるが、この段差ｄを吸収するために図２に示すように連結体３をＵ形に形成して長さに融通性を持たせている。
【００４０】
図９に示すように固定体１１ａの位置には箱体１０の上面に符号Ａが、隣の固定体１１ｂの位置には符号Ｂが、同様に符号Ｃ〜Ｆが付けられているが、例えば符号Ａは主基板ケース封緘（封印）用、部号Ｂは本体固定用、符号Ｃ〜Ｆは立ち入り検査第１回、第２回、第３回・・・などの封緘状態を示している。
【００４１】
開封したピン体２の頭部５は表示部７とともに切除したり、そのまま残したりするが、好ましくは切除して封緘が解除されたことを明確にしておくのが良い。
【００４２】
２．　＜第２実施形態＞
第２実施形態は、封緘部材におけるピン体の形状が第１実施形態のものとは異なる。それ以外の点においては第２実施形態の封緘部材は第１実施形態の封緘部材と同様である。以下においては、第１実施形態と異なる点のみについて述べる。また、図面において第１実施形態の各部と同様な各部には、第１実施形態と同一の符号を付す。
【００４３】
図１２は、第２実施形態のピン体３２を、頭部５は断面図として示し、係止部２４は側面図として示す、部分断面図である。また、図１３は、本実施形態のピン体３２を、第１実施形態と同様な箱体１０（被封緘部材）の固定体１１への挿入の途中の状態において、固定体１１の固定環１１ｎの位置における模式的な断面図として示す図である。
【００４４】
これらの図に示すように、ピン体３２の係止部２４の棒状部２４ａは、その周囲の４方向に突出するリブ部２４ｅを備えている。なお、リブ部２４は棒状部２４ａから４方向に突出して形成されているものに限らず、少なくとも一つの方向に突出して形成されていればよい。リブ部２４ｅは変形可能な弾性を持つ材料で形成されている。図１３においては、ピン体３２の係止部２４が、箱体１０（被封緘部材）の固定環１１ｎにより押圧されて、挿入前は図１３において符号２４ｅに符号２４ｆの部分を加えた断面形状を持つリブ部が、図１３におけるリブ部２４ｅに示す形状に変形した状態を模式的に示している。このようにリブ部２４ｅが変形することによって、ピン体３２を、被封緘部材例えば箱体１０に設けられている被挿入部例えば固定体１１に仮止めすることができる。また、ピン体３２によって封緘した状態においても、棒状部２４ａの弾性を持つリブ部２４ｅが被挿入部例えば固定体１１に密着する状態とできるため、ピン体３２が緩んでしまう可能性が低い。
【００４５】
３．　＜変形例＞
３．１　前記実施形態においては、上下２個が一対の固定環１１ｍ、１１ｎからなる固定体１１を使用しているが、固定環が一つ（例えば上の固定環１１ｍ）の構造のものでも使用することができる。
【００４６】
３．２　前述した実施形態の封緘部材は、複数本のピン体を連結体で連結しているので、一連の封緘操作を行う場合には、「封緘−封緘の解除」の順序が明確になる。したがって、この封緘部材は、遊技装置だけでなく、封緘の順序の明確化が必要な他の装置にも使用することができる。
【００４７】
３．３　前述した実施形態においては、ピン体が表示部および接続部を備える例を示した。
【００４８】
しかしながら、ピン体は接続部を備えず、頭部に表示部が直に接続されるようにしてもよい。
【００４９】
あるいは、ピン体は表示部および接続部を備えないようにしてもよい。その場合、連結体は隣接するピン体の頭部同士を連結するようにする。
【００５０】
３．４　前述した実施形態では、封緘が破られる場合などに力が加わると破壊されやすい弱点部が、ピン体の頭部に腕部として形成されている例を示した。しかしながら、封緘が破られる場合などに力が加わると破壊されやすい弱点部は、頭部、棒状部、連結体、頭部と棒状部との接合部、頭部と表示部との接続部、接続部と頭部との接合部、および、接続部と表示部との接合部のうちの少なくともいずれかに形成されるようにしてもよい。なお、弱点部には他の部分より厚さが薄い部分を設けたり、切欠きを設けたりして、破壊されやすいように形成してもよい。
【００５１】
３．５　前述した実施形態においては、互いに隣接するピン体において表示部同士を連結するように形成されている連結体の例を示した。しかしながら、連結体は、互いに隣接する前記ピン体において、頭部同士、または、接続部同士を連結するように形成されていてもよい。
【００５２】
３．６　本発明は前述した各実施形態に限定されるものではなく、本発明の要旨の範囲内、または、特許請求の範囲の均等範囲内で、各種の変形実施が可能である。
【００５３】
【発明の効果】
第１の発明によれば、一つの箱体などに、複数の封緘を所定の順序で封緘し、封緘を解除する場合のように、所定の期間ごとに開封してその内部を検査するような遊技装置の封緘として有効に利用することができる。また、連結体が破壊されていることを確認することによって、開封があったことを認識することが可能となる。さらに、連結されているピン体を順次封緘に用いることによって、開封の履歴を容易に判断することができる。
【００５４】
第２の発明によれば、弱点部の破壊を確認することによって、開封があったことを認識することが可能となる。
【００５５】
第３の発明によれば、表示部を備えることによって、封緘箇所、封緘履歴などに対応する表示を行うことができる。
【００５６】
第４の発明によれば、周囲に規則的に配列された棒状部を持つピン体とすることによって、封緘あるいはその準備のために棒状部を対応する部分に挿入する際に、挿入するにしたがって摩擦の大きさが段階的に変化するため、凹部を棒状部の長さ方向の適切な位置に設けておけば、適切な所定の深さ位置まで棒状部を挿入することが容易となる。また、棒状部を挿入する挿入部に凹部と軽く係合する部分、例えば変形可能な板状の突出部を設けておけば、ピン体を適切な深さ位置で仮固定することが容易となる。
【００５７】
第５の発明によれば、棒状部のリブ部が被封緘部材の挿入される部分に密着した状態に容易に保つことができ、ピン体を被封緘部材内に容易に仮止めすることができる。また、ピン体によって封緘した状態においても、棒状部の弾性を持つリブ部が被封緘部材内に密着する状態に保てるため、ピン体が緩んでしまう可能性が低い。
【００５８】
第６の発明によれば、連結体の曲線状の形状が変形することによって、隣接するピン体同士の間の距離変化をある程度許容することができ、個々のピン体の封緘やその開封の際などにおける移動が隣接するピン体に影響を与えることを防止できる。
【００５９】
第７の発明によれば、頭部のセンター部に十分な力を及ぼすことによって弱点部として形成された腕部を破壊し、棒状体をリング体から切り離すことによって、ピン体による封緘を容易に解くことができる。
【００６０】
第８の発明によれば、センター部の凹部にドライバの先などの棒状部材の先端部を外れないようにセンター部の凹部に当接させることが容易に行える。さらに、そのような棒状部材を介してセンター部に十分な力を及ぼすことによって弱点部として形成された腕部を破壊し、棒状体をリング体から切り離すことによって、このピン体による封緘を容易に解くことができる。
【図面の簡単な説明】
【図１】多数のピン体を連結して形成された第１実施形態の封緘部材の平面図である。
【図２】図１に示した封緘部材の側面図である。
【図３】図１に示した封緘部材の側面図である。
【図４】頭部を部分断面図として示す第１実施形態のピン体の側面図である。
【図５】図４のピン体を横方向から見た側面図である。
【図６】図４のピン体を下側からみた平面図である。
【図７】図４のピン体の棒状部の断面図である。
【図８】第１実施形態の封緘部材を箱体に使用する状態を示す斜視図である。
【図９】第１実施形態の封緘部材を箱体に使用した状態を示す平面図である。
【図１０】第１実施形態の封緘部材の使用状態を示す側断面図である。
【図１１】第１実施形態の封緘部材を封緘状態とする作業の説明図である。
【図１２】第２実施形態のピン体示す部分断面図である。
【図１３】図１２に示したピン体の挿入途中の状態を示す模式的な断面図である。
【符号の説明】
１　　封緘部材
２、２ａ、２ｂ、３２　ピン体
３、３ａ、３ｂ　連結体
４、２４　　係止部
４ａ、２４ａ　棒状部
４ｂ　爪体
４ｃ　凹部
５　　頭部
５ａ　リング体
５ｂ　腕部（弱点部）
５ｃ　センター部
５ｄ　凹部
６　　接続部
７　　表示部
Ｗ　　弱点部
２４ｅ　リブ部
【図１】
2004051228.tif 000003
【図２】
2004051228.tif 000004
【図３】
2004051228.tif 000005
【図４】
2004051228.tif 000006
【図５】
2004051228.tif 000007
【図６】
2004051228.tif 000008
【図７】
2004051228.tif 000009
【図８】
2004051228.tif 000010
【図９】
2004051228.tif 000011
【図１０】
2004051228.tif 000012
【図１１】
2004051228.tif 000013
【図１２】
2004051228.tif 000014
【図１３】
2004051228.tif 000015